(57)【要約】【課題】マグネット部がシール壁から捲れるように分離するのを解消し、マグネット部のシール壁に対する飛付き特性を向上できるドアパッキンを備えた貯蔵庫を提供する。【解決手段】シールベース２２と、マグネット部２３と、シールベース２２とマグネット部２３の間に設けられる外弾性壁２４、第１内弾性壁２５、および第２内弾性壁２６などでドアパッキン２０を構成する。外弾性壁２４と第１内弾性壁２５の間に庫外側空気室３８が形成され、第１内弾性壁２５と第２内弾性壁２６の間に庫内側空気室３９が形成されている。マグネット部２３とシール壁９の磁気吸着作用で各弾性壁２４・２５・２６が伸張変形する状態において、外弾性壁２４が伸張限界まで変形するときの伸張量と、第１内弾性壁２５が伸張限界まで変形するときの伸張量を等量化する。【選択図】図１
2020193737.tif 000002
【特許請求の範囲】
【請求項１】
本体ケース（１）の出入口（２）を開閉する揺動ドア（６）を備え、揺動ドア（６）の内面周縁に沿ってドアパッキン（２０）が設けられている貯蔵庫であって、
ドアパッキン（２０）は、揺動ドア（６）の装着溝（２１）に圧嵌装着されるシールベース（２２）と、本体ケース（１）のシール壁（９）に磁気吸着するマグネット部（２３）と、シールベース（２２）とマグネット部（２３）の間に設けられる外弾性壁（２４）、第１内弾性壁（２５）、および第２内弾性壁（２６）とを備えており、
外弾性壁（２４）は、シールベース（２２）の外端側から連出されてマグネット部（２３）の外側面を支持しており、
第１内弾性壁（２５）および第２内弾性壁（２６）は、シールベース（２２）の内端側から連出されてマグネット部（２３）の内側面を支持しており、
外弾性壁（２４）と第１内弾性壁（２５）の間と、第１内弾性壁（２５）と第２内弾性壁（２６）の間に、庫内と庫外の間の熱移動を遮断する庫外側空気室（３８）と庫内側空気室（３９）が形成されており、
第１内弾性壁（２５）は庫内側空気室（３９）に膨出する状態で湾曲形成されており、
マグネット部（２３）とシール壁（９）の磁気吸着作用で各弾性壁（２４・２５・２６）が伸張変形する状態において、外弾性壁（２４）が伸張限界まで変形するときの伸張量と、第１内弾性壁（２５）が伸張限界まで変形するときの伸張量が等量化されていることを特徴とする貯蔵庫。
【請求項２】
第２内弾性壁（２６）のマグネット部（２３）との接続端側に、庫内側空気室（３９）に向かって凹む凹部壁（４１）と外膨らみ状に突出する膨出壁（４２）が形成されており、
揺動ドア（６）が閉じ操作されて、マグネット部（２３）がシール壁（９）に磁気吸着した状態において、膨出壁（４２）がシール壁（９）に密着して凹部壁（４１）とシール壁（９）の間にシール側区室（４３）が形成されている請求項１に記載の貯蔵庫。
【請求項３】
庫内側空気室（３９）の内部が、第２内弾性壁（２６）から分岐導出されてマグネット部（２３）の内側面に連続する区分壁（４０）で、第１内弾性壁（２５）に臨む第１内区室（３９ａ）と、マグネット部（２３）の内側面に臨む第２内区室（３９ｂ）とに区分されている請求項１または２に記載の貯蔵庫。
【請求項４】
第２内弾性壁（２６）の外周面に４個のリップ壁（２７〜３０）が連出されて、各リップ壁（２７〜３０）の自由端が、それぞれ揺動ドア（６）の内面に設けた角枠部（６ｄ）の基端壁に密着されており、
庫内側２個のリップ壁（２７・２８）の中途部どうしはリップ区分壁（４６）で接続されて、第２内弾性壁（２６）とリップ区分壁（４６）の間に、熱の移動を遮断するリップ区室（４７）が形成されている請求項１から３のいずれかひとつに記載の貯蔵庫。
【請求項５】
シールベース（２２）が、揺動ドア（６）の装着溝（２１）に圧嵌装着される断面が矢尻状の連結リブ（３２）と、装着溝（２１）を跨ぐ状態でドア壁に密着するベース枠（３３）と、マグネット部（２３）と対向するベース枠（３３）に突出形成される中空枠部（３４）とを一体に備えており、
マグネット部（２３）の幅方向中心軸の延長上に、連結リブ（３２）の中心軸が位置している請求項１から４のいずれかひとつに記載の貯蔵庫。
【発明の詳細な説明】
【技術分野】
【０００１】
本発明は、貯蔵庫の出入口を揺動ドアで開閉する形態の冷蔵庫、冷凍庫などの貯蔵庫に関し、なかでも揺動ドアの内面周縁に沿って設けたドアパッキンに関する。
【背景技術】
【０００２】
図６、および図７に、本出願人による従来のドアパッキン５１を示す。このドアパッキン５１は、揺動ドア５２の装着溝５４に圧嵌装着されるシールベース５５と、冷蔵庫本体のシール壁５３に磁気吸着するマグネット部５６と、マグネット部５６を支持する外弾性壁５７、第１内弾性壁５８、および第２内弾性壁５９と、第２内弾性壁５９から連出される複数のリップ壁６０などで構成されている。シールベース５５は、装着溝５４に圧嵌装着される断面が矢尻状の連結リブ６１と、装着溝５４を間に挟むドア壁に密着するベース枠６２を一体に備えており、ベース枠６２の内外端から各内弾性壁５８・５９と外弾性壁５７が連出されている。外弾性壁５７と第１内弾性壁５８の間、および第１内弾性壁５８と第２内弾性壁５９の間には、庫内と庫外の間の熱移動を遮断する２個の空気室６３・６４が形成されている。マグネット部５６の内部には棒状の磁石６５が配置されている。
【０００３】
上記のように、複数の空気室６３・６４を備えたドアパッキン５１は従来から多用されている。例えば特許文献１の冷蔵庫においては、扉の溝部に圧嵌装着されるアンカー部と、冷蔵庫本体のシール壁に磁気吸着するマグネット部と、これら両者を接続する庫外バルーンおよび庫内バルーンと、庫内バルーンの周囲を覆うＬ字壁と、Ｌ字壁から連出される複数のひれ部などでガスケット（ドアパッキン）を構成している。庫外バルーンと庫内バルーンの間、および庫内バルーンとＬ字壁の間には、それぞれ熱移動を遮断する空気室が区画されている。
【先行技術文献】
【特許文献】
【０００４】
【特許文献１】特開平１０−１３２４５０号公報
【発明の概要】
【発明が解決しようとする課題】
【０００５】
図６および図７に示す従来のドアパッキン５１においては、外膨らみ湾曲状の外弾性壁５７でマグネット部５６の外側面を支持し、横臥Ｖ字状に湾曲する第１内弾性壁５８と、第１内弾性壁５８の周囲を覆うＵ字状の第２内弾性壁５９でマグネット部５６の内側面を支持している。各弾性壁５７・５８・５９のうち、第２内弾性壁５９は最も長く、第１内弾性壁５８は最も短く形成されている。そのため、揺動ドア５２が開放操作されるときは、他の弾性壁５７・５９に比べて短い第１内弾性壁５８が伸張限界まで変形した時点で、図７に示すようにマグネット部５６の庫内側端部が捲れるようにして分離し始める。こうしたドアパッキン５１では、より小さな力で扉を開放できるものの、体の一部が揺動ドア５２に衝突したような場合に、意に反して揺動ドア５２が開放されてしまうおそれがある。
【０００６】
また、揺動ドア５２を開放位置から閉じ操作するときは、シール壁５３に接近したマグネット部５６が、各弾性壁５７・５８・５９を伸長変形させながらシール壁５３に引寄せられるようにして磁気吸着するが、この場合にも第１内弾性壁５８が他の弾性壁５７・５９に先行して伸張限界まで変形するため、マグネット部５６がシール壁５３に対して傾斜してしまう。そのため、揺動ドア５２を閉じ端付近まで閉じ操作しないとマグネット部５６をシール壁５３に完全に磁気吸着させることができず、マグネット部５６がシール壁５３に接近するときの飛付き特性が損なわれていた。
【０００７】
本発明の目的は、マグネット部がシール壁から捲れるように分離するのを解消し、さらに、マグネット部のシール壁に対する飛付き特性を向上できるドアパッキンを備えた貯蔵庫を提供することにある。
【課題を解決するための手段】
【０００８】
本発明は、本体ケース１の出入口２を開閉する揺動ドア６を備え、揺動ドア６の内面周縁に沿ってドアパッキン２０が設けられている貯蔵庫を対象とする。ドアパッキン２０は、揺動ドア６の装着溝２１に圧嵌装着されるシールベース２２と、本体ケース１のシール壁９に磁気吸着するマグネット部２３と、シールベース２２とマグネット部２３の間に設けられる外弾性壁２４、第１内弾性壁２５、および第２内弾性壁２６とを備えている。外弾性壁２４は、シールベース２２の外端側から連出されてマグネット部２３の外側面を支持している。また、第１内弾性壁２５および第２内弾性壁２６は、シールベース２２の内端側から連出されてマグネット部２３の内側面を支持している。外弾性壁２４と第１内弾性壁２５の間と、第１内弾性壁２５と第２内弾性壁２６との間には、庫内と庫外の間の熱移動を遮断する庫外側空気室３８と庫内側空気室３９が形成されている。第１内弾性壁２５は庫内側空気室３９に膨出する状態で湾曲形成されている。マグネット部２３とシール壁９の磁気吸着作用で各弾性壁２４・２５・２６が伸張変形する状態において、外弾性壁２４が伸張限界まで変形するときの伸張量と、第１内弾性壁２５が伸張限界まで変形するときの伸張量とが等量化されていることを特徴とする。
【０００９】
第２内弾性壁２６のマグネット部２３との接続端側に、庫内側空気室３９に向かって凹む凹部壁４１と外膨らみ状に突出する膨出壁４２とが形成されている。揺動ドア６が閉じ操作されて、マグネット部２３がシール壁９に磁気吸着した状態においては、膨出壁４２がシール壁９に密着して凹部壁４１とシール壁９の間にシール側区室４３を形成する。
【００１０】
庫内側空気室３９の内部が、第２内弾性壁２６から分岐導出されてマグネット部２３の内側面に連続する区分壁４０で、第１内弾性壁２５に臨む第１内区室３９ａと、マグネット部２３の内側面に臨む第２内区室３９ｂとに区分されている。
【００１１】
第２内弾性壁２６の外周面に４個のリップ壁２７〜３０が連出されて、各リップ壁２７〜３０の自由端が、それぞれ揺動ドア６の内面に設けた角枠部６ｄの基端壁に密着されている。庫内側２個のリップ壁２７・２８の中途部どうしはリップ区分壁４６で接続されて、第２内弾性壁２６とリップ区分壁４６の間に、熱の移動を遮断するリップ区室４７が形成されている。
【００１２】
シールベース２２は、揺動ドア６の装着溝２１に圧嵌装着される断面が矢尻状の連結リブ３２と、装着溝２１を跨ぐ状態でドア壁に密着するベース枠３３と、マグネット部２３と対向するベース枠３３に突出形成される中空枠部３４を一体に備えている。マグネット部２３の幅方向中心軸の延長上に、連結リブ３２の中心軸が位置している。
【発明の効果】
【００１３】
本発明においては、マグネット部２３とシール壁９の磁気吸着作用で各弾性壁２４・２５・２６が伸張変形する状態において、外弾性壁２４が伸張限界まで変形するときの伸張量と、第１内弾性壁２５が伸張限界まで変形するときの伸張量を等量化した。こうしたドアパッキン２０では、揺動ドア６が閉じ位置から開放操作されるときは、図５に示すように各弾性壁２４・２５・２６が揺動ドア６に引っ張られて、シール壁９から遠ざかる向きに伸長変形する。そして、各弾性壁２４・２５・２６が伸張限界まで伸長変形し、各弾性壁２４・２５・２６に作用する引張り力の合計値が、マグネット部２３の磁気吸着力を越えると、マグネット部２３は吸着面３６の全体がシール壁９から弾かれたように分離する。従って、マグネット部が捲れるようにして分離していた従来のドアパッキンとは異なり、マグネット部２３がシール壁９から分離するまでの間、より強い力で揺動ドア６を閉じ位置に保持し続けることができ、例えば身体の一部が揺動ドア６に衝突した程度で同ドア６が開放することはない。
【００１４】
また、揺動ドア６を開放位置から閉じ操作する場合には、吸着面３６がシール壁９に一定距離まで接近した時点で、磁石３５は各弾性壁２４・２５・２６を伸長変形させながらシール壁９に吸い寄せられるようにして急速に吸着する。このとき、外弾性壁２４と第１内弾性壁２５はほぼ伸張限界まで伸長変形するが、両者２４・２５の伸張量は等量化されている。そのため、マグネット部２３はシール壁９に対して平行な姿勢を維持し、さらに吸着面３６の全体に均等な吸着力が作用する状態で磁気吸着することとなり、マグネット部２３のシール壁９に対する飛付き特性を向上することができる。また、飛付き特性が改善されるのに伴い、マグネット部２３の吸着面３６の全体がシール壁９に吸着し終わるまで揺動ドア６を閉じ操作する必要がない分、揺動ドア６の閉じ操作を簡便化できる。
【００１５】
第２内弾性壁２６のマグネット部２３との接続端側に、凹部壁４１と膨出壁４２を形成し、マグネット部２３がシール壁９に磁気吸着した状態において、膨出壁４２がシール壁９に密着して凹部壁４１とシール壁９の間にシール側区室４３が形成されるようにした。こうしたドアパッキン２０によれば、庫内の冷気が第２内弾性壁２６とシール壁９の間の隙間に入り込むのを膨出壁４２とシール側区室４３で確実に防止できるので、マグネット部２３における通気の遮断と熱移動をさらに確実なものとすることができる。
【００１６】
庫内側空気室３９の内部を、区分壁４０で第１内弾性壁２５に臨む第１内区室３９ａと、マグネット部２３の内側面に臨む第２内区室３９ｂに区分するようにした。こうしたドアパッキン２０によれば、庫内側空気室３９とマグネット部２３の間の熱移動を第２内区室３９ｂで遮断できるので、庫内と庫外の間の熱移動をさらに確実に阻止できる。
【００１７】
第２内弾性壁２６の外周面に４個のリップ壁２７〜３０が連出されて、各リップ壁２７〜３０の自由端を角枠部６ｄの基端壁に密着させるようにした。さらに、庫内側２個のリップ壁２７・２８の中途部どうしをリップ区分壁４６で接続して、第２内弾性壁２６とリップ区分壁４６の間に、熱の移動を遮断するリップ区室４７を形成するようにした。こうしたドアパッキン２０によれば、庫内の冷気が第２内弾性壁２６と角枠部６ｄの間の隙間からシールベース２２の側へ流動するのを各リップ壁２７〜３０で阻止できる。また、第２内弾性壁２６とリップ区分壁４６の間にリップ区室４７を形成するので、庫内と庫内側空気室３９との間の熱の移動を阻止できる。
【００１８】
断面が矢尻状の連結リブ３２と、装着溝２１を跨ぐベース枠３３と、ベース枠３３に突出形成される中空枠部３４でシールベース２２を構成し、マグネット部２３の幅方向中心軸の延長上に、連結リブ３２の中心軸を位置させるようにした。こうしたドアパッキン２０によれば、揺動ドア６の装着溝２１に対するドアパッキン２０の組付け作業を容易に行える。ドアパッキン２０を装着溝２１に組付ける際には、連結リブ３２を装着溝２１の溝開口にあてがいながら、マグネット部２３を押込み操作して連結リブ３２を装着溝２１に圧嵌させるが、このとき、マグネット部２３の幅方向中心軸の延長上に連結リブ３２の中心軸が位置しているので、マグネット部２３に作用する押込み力を、中空枠部３４を介して連結リブ３２に適確に伝えることができるので、装着溝２１に対するドアパッキン２０の組付け作業を容易に行うことができる。
【図面の簡単な説明】
【００１９】
【図１】本発明に係る貯蔵庫のドアパッキンを示す横断平面図である。
【図２】片方の揺動ドアを開いた状態の冷蔵庫の正面図である。
【図３】開放された揺動ドアの内面構造を示す側面図である。
【図４】ドアパッキンに設けたシール側区室の詳細を示す横断平面図である。
【図５】揺動ドアが開放操作されるときのドアパッキンの伸長変形状態を示す横断平面図である。
【図６】従来のドアパッキンを示す横断平面図である。
【図７】揺動ドアが開放操作されるときの従来のドアパッキンの伸長変形状態を示す横断平面図である。
【発明を実施するための形態】
【００２０】
（実施例）  図１から図５に本発明に係る貯蔵庫を、冷蔵庫に適用した実施例を示す。本発明における前後、左右、上下とは、図２、図３に示す交差矢印と、矢印の近傍の前後、左右、上下の表記に従うこととする。図２に示すように冷蔵庫は本体ケース１を備え、その前面で開口する出入口２を中間枠３で上下に区分して、上側の貯蔵室４と下側の貯蔵室５とを備えている。本体ケース１は、外ケース１ａと内ケース１ｂ、および両ケース１ａ・１ｂの間に充填される断熱材１ｃで断熱箱として構成されている。上下の貯蔵室４・５は中間枠３より後側で連通しており、各貯蔵室４・５は、本体ケース１の前面に設けた揺動ドア６・６で開閉することができる。各貯蔵室４・５には、食材や調理済み食品を載置する棚枠７が多段状に設けられている。
【００２１】
本体ケース１の上部には機械室８が設けられており、その内部と上側の貯蔵室４の内部にわたって冷却装置が配置されている。図２に示すように冷却装置は、それぞれ機械室８に配置される圧縮機１１、凝縮器１２、および凝縮器ファン１３と、上側の貯蔵室４の内部に配置される蒸発器１４と蒸発器ファン１５などで構成される。各揺動ドア６は、外壁６ａと内壁６ｂ、および両壁６ａ・６ｂの間に充填される断熱材６ｃで四角形状の断熱ドアとして構成されており、図２に向かって右端の上下がヒンジ１８で支持され、左端の外面にドアハンドル１９が固定されている。揺動ドア６の内壁６ｂには、貯蔵室４・５の内側面と正対する角枠部６ｄが膨出形成されている。図３に示すように、揺動ドア６の内面には、本体ケース１のシール壁９に密着して庫内と庫外の間の通気と熱移動を遮断するドアパッキン２０が、ドアの内面周縁に沿って四角枠状に設けられている。
【００２２】
図１に示すようにドアパッキン２０は、揺動ドア６の装着溝２１に圧嵌装着されるシールベース２２と、本体ケース１のシール壁９に磁気吸着するマグネット部２３と、シールベース２２とマグネット部２３の間に設けられる外弾性壁２４、第１内弾性壁２５、および第２内弾性壁２６と、第２内弾性壁２６の外周面に連出される４個のリップ壁２７〜３０などで構成される。各弾性壁２４・２５・２６のうち、外弾性壁２４は、シールベース２２の外端側から連出されてマグネット部２３の外側面（庫外側）を支持しており、第１内弾性壁２５および第２内弾性壁２６は、シールベース２２の内端側から連出されてマグネット部２３の内側面（庫内側）を支持している。シールベース２２は、揺動ドア６の装着溝２１に圧嵌装着される断面が矢尻状の連結リブ３２と、装着溝２１を跨ぐ状態でドア壁に密着するベース枠３３と、マグネット部２３と対向するベース枠３３に突出形成される中空枠部３４を一体に備えている。
【００２３】
マグネット部２３は断面が四角形の中空体の内部に、棒状の磁石（ゴム磁石）３５を収容して形成されており、平坦な吸着面３６がシール壁９に吸着して庫内と庫外の間の通気を遮断する。外弾性壁２４は外膨らみ湾曲状の膜体からなり、一端がマグネット部２３の外側面に連続し、他端がベース枠３３の外端に連続している。外弾性壁２４とベース枠３３の接続部の外面には、短寸のリップ壁３７が連出されている。外弾性壁２４と第１内弾性壁２５の間と、第１内弾性壁２５と第２内弾性壁２６の間には、それぞれ庫内と庫外の間の熱移動を遮断する庫外側空気室３８と庫内側空気室３９とが形成されている。
【００２４】
第１内弾性壁２５は庫内側空気室３９に膨出する状態で舌片状に湾曲形成されており、一端がマグネット部２３の内側面の隅部分に連続し、他端がベース枠３３の内端寄りに連続している。第２内弾性壁２６は第１内弾性壁２５の周囲を囲む外膨らみ湾曲状の膜体からなり、一端がマグネット部２３の内側面に連続し、他端がベース枠３３の内端に連続している。庫内側空気室３９の内部は、第２内弾性壁２６から分岐導出されてマグネット部２３の内側面に連続する区分壁４０で、第１内弾性壁２５に臨む第１内区室３９ａと、マグネット部２３の内側面に臨む第２内区室３９ｂに区分されている（図４参照）。また、第２内弾性壁２６のマグネット部２３との接続端側に、第２内区室３９ｂに向かって凹む凹部壁４１と外膨らみ状に突出する膨出壁４２とが形成されている。揺動ドア６が閉じ操作されて、マグネット部２３がシール壁９に磁気吸着した状態では、膨出壁４２がシール壁９に密着して凹部壁４１とシール壁９の間にシール側区室４３が形成される。
【００２５】
４個のリップ壁２７〜３０の自由端は、それぞれ角枠部６ｄの基端壁（内面壁）に密着して庫内の冷気の流出を防ぎ、同時に熱の移動を遮断している。４個のリップ壁２７〜３０のうち、庫内側２個のリップ壁２７・２８の中途部どうしはリップ区分壁４６で接続されて、第２内弾性壁２６とリップ区分壁４６の間に、熱の移動を遮断するリップ区室４７が形成されている。こうしたドアパッキン２０によれば、庫内の冷気が第２内弾性壁２６と角枠部６ｄの間の隙間からシールベース２２の側へ流動するのを各リップ壁２７〜３０で阻止できる。また、第２内弾性壁２６とリップ区分壁４６の間にリップ区室４７を形成するので、庫内と庫内側空気室３９との間の熱の移動を阻止できる。
【００２６】
以上のように構成したドアパッキン２０において、マグネット部２３がシール壁９から捲れるように分離するのを解消し、さらに、揺動ドア６を閉じ操作するときのマグネット部２３のシール壁９に対する飛付き特性を向上するために、外弾性壁２４が伸張限界まで変形するときの伸張量と、第１内弾性壁２５が伸張限界まで変形するときの伸張量がほぼ等量になるようにしている。具体的には、外弾性壁２４の湾曲面に沿う長さが１６．３２ｍｍであるとき、第１内弾性壁２５の湾曲面に沿う長さを１６．０３ｍｍとして、外弾性壁２４および第１内弾性壁２５が伸張限界まで変形するときの伸張量を等量化した。なお、第２内弾性壁２６の湾曲面に沿う長さは２０．１６ｍｍであり、外弾性壁２４と第１内弾性壁２５が伸張限界まで変形した場合でも伸張変形できる余裕がある。因みに、従来のドアパッキンでは、外弾性壁５７の湾曲面に沿う長さが１５．０７ｍｍであるとき、第１内弾性壁５８の湾曲面に沿う長さは１２．４５ｍｍであって、外弾性壁５７が伸張限界まで変形する前に、第１内弾性壁５８が伸張限界まで変形するのを避けられなかった。
【００２７】
上記のように、外弾性壁２４が伸張限界まで変形するときの伸張量と、第１内弾性壁２５が伸張限界まで変形するときの伸張量が等量化してあると、揺動ドア６が開閉操作される際の、シール壁９に対するマグネット部２３の分離動作と吸着動作を好適化できる。例えば、揺動ドア６が閉じ位置から開放操作されるときは、図５に示すように各弾性壁２４・２５・２６は揺動ドア６に引っ張られて、シール壁９から遠ざかる向きに伸長変形する。そして、各弾性壁２４・２５・２６が伸張限界まで伸長変形し、各弾性壁２４・２５・２６に作用する引張り力の合計値が、マグネット部２３の磁気吸着力を越えると、マグネット部２３は吸着面３６の全体がシール壁９から弾かれたように分離する。このようにマグネット部２３は、各弾性壁２４・２５・２６に作用する引張り力の合計値が、マグネット部２３の磁気吸着力を越えた状態でのみ、シール壁９から２分されたように分離するので、マグネット部が捲れるようにして分離していた従来のドアパッキンとは異なり、体の一部が揺動ドア６に衝突した程度で同ドア６が開放することはない。従って、ユーザーが明確な意図をもって揺動ドア６を開放操作しない限りは、揺動ドア６が開放されることはない。
【００２８】
また、揺動ドア６を開放位置から閉じ操作する場合には、吸着面３６がシール壁９に一定距離まで接近した時点で、磁石３５は各弾性壁２４・２５・２６を伸長変形させながらシール壁９に吸い寄せられるようにして急速に吸着する。このとき、外弾性壁２４と第１内弾性壁２５はほぼ伸張限界まで伸長変形するが、両者２４・２５の伸張量は等量化されている。そのため、マグネット部２３はシール壁９に対して平行な姿勢を維持し、さらに吸着面３６の全体に均等な吸着力が作用する状態で磁気吸着することとなり、マグネット部２３のシール壁９に対する飛付き特性を向上することができる。また、飛付き特性が改善されるのに伴い、マグネット部２３の吸着面３６の全体がシール壁９に吸着し終わるまで揺動ドア６を閉じ操作する必要がない分、揺動ドア６の閉じ操作を簡便化できる。さらに、大きくてより強力な磁石を使用してマグネット部２３の飛付き特性を向上させ、あるいは各弾性壁２４・２５・２６を左右対称形状に形成して飛付き特性を向上させる必要がないので、ドアパッキン２０の断面積が大きくなるのを回避できる。
【００２９】
第２内弾性壁２６のマグネット部２３との接続端側に、庫内側空気室３９に向かって凹む凹部壁４１と外膨らみ状に突出する膨出壁４２を形成するようにした。こうしたドアパッキン２０によれば、揺動ドア６が閉じ操作されてマグネット部２３がシール壁９に磁気吸着した状態において、膨出壁４２がシール壁９に密着して凹部壁４１とシール壁９の間にシール側区室４３を形成できる。従って、庫内の冷気が第２内弾性壁２６とシール壁９の間の隙間に入り込むのを膨出壁４２とシール側区室４３で確実に防止して、マグネット部２３における通気の遮断と熱移動を更に確実なものとすることができる。
【００３０】
庫内側空気室３９の内部を、第２内弾性壁２６から分岐導出された区分壁４０で、第１内区室３９ａと第２内区室３９ｂに区分するようにした。こうしたドアパッキン２０によれば、庫内側空気室３９とマグネット部２３の間の熱移動を第２内区室３９ｂで遮断できるので、庫内と庫外の間の熱移動をさらに確実に遮断できる。
【００３１】
断面が矢尻状の連結リブ３２と、装着溝２１を跨ぐベース枠３３と、ベース枠３３に突出形成される中空枠部３４でシールベース２２を構成し、マグネット部２３の幅方向中心軸の延長上に、連結リブ３２の中心軸を位置させるようにした。こうしたドアパッキン２０によれば、揺動ドア６の装着溝２１に対するドアパッキン２０の組付け作業を容易に行える。ドアパッキン２０を装着溝２１に組付ける際には、連結リブ３２を装着溝２１の溝開口にあてがいながら、マグネット部２３を押込み操作して連結リブ３２を装着溝２１に圧嵌させるが、このとき、マグネット部２３の幅方向中心軸の延長上に連結リブ３２の中心軸が位置しているので、マグネット部２３に作用する押込み力を、中空枠部３４を介して連結リブ３２に適確に伝えることができるので、装着溝２１に対するドアパッキン２０の組付け作業を容易に行うことができる。
【００３２】
本発明に係るドアパッキン２０は、冷蔵庫以外に冷凍庫、保冷庫、保温庫、温蔵庫などの揺動ドアに適用できる。
【符号の説明】
【００３３】
１  本体ケース
２  出入口
４  貯蔵室
５  貯蔵室
６  揺動ドア
９  シール壁
２０  ドアパッキン
２１  装着溝
２２  シールベース
２３  マグネット部
２４  外弾性壁
２５  第１内弾性壁
２６  第２内弾性壁
３５  磁石
３６  吸着面
３８  庫外側空気室
３９  庫内側空気室
４０  区分壁
４１  凹部壁
４２  膨出壁
４３  シール側区室
【図１】
2020193737.tif 000003
【図２】
2020193737.tif 000004
【図３】
2020193737.tif 000005
【図４】
2020193737.tif 000006
【図５】
2020193737.tif 000007
【図６】
2020193737.tif 000008
【図７】
2020193737.tif 000009